(57)【要約】  【課題】栽培ハウスの作物や家畜に高温、過湿などによる悪影響を与えることのない、低コストで簡易な冷房装置を提供する。  【解決手段】ハウス１の屋根１ａの外表面を覆った不織布２の上に不織布２に給水するする給水手段３を配置した冷房装置。潅水手段３は、タイマーにより間欠的に水を供給して散水するスプリンクラーあるいは、潅水量が１ｍ当たり１時間に５００ｃｃ〜１Ｌの、排水口を有する潅水パイプ５を利用する。【選択図】図１
0003113421.tif 000002
【実用新案登録請求の範囲】
【請求項１】
建家の屋根の外表面に覆った不織布の上に、不織布に水を供給する給水手段を配置したことを特徴とする建家内冷房装置。
【請求項２】
給水手段が樹脂製シートハウスの屋根を覆った不織布に水を滴下する潅水手段であることを特徴とする請求項１記載の建家内冷房装置。
【請求項３】
潅水手段が、潅水量が１ｍ当たり１時間に５００ｃｃ〜１Ｌの、排水口を有する小口径パイプであることを特徴とする請求項２記載の建家内冷房装置。
【請求項４】
給水手段がタイマーにより間欠的に水を供給して散水するスプリンクラー又は散水チューブであることを特徴とする請求項１記載の建家内冷房装置。
【請求項５】
不織布が樹脂製シートの上に積層された２重積層シートであることを特徴とする請求項１、２または３記載の建家内冷房装置。
【考案の詳細な説明】
【技術分野】
【０００１】
本考案は、不織布内に拡散し、蒸散する際の水の気化熱による冷却効果を利用して栽培ハウス、畜舎、工場、一般家屋等の建家内を冷却する建家内冷房装置に関する。
【背景技術】
【０００２】
農産物などの栽培ハウスや畜舎では、夏季の高温時に作物や家畜を高温障害から守るため、高額の空調設備を設けたり、遮光資材で栽培ハウスや畜舎を被覆して赤外線を遮断することで遮熱したり、施設内部に潅水装置を設置してエンジンポンプやモーターにて加圧して潅水ノズルから微細な水を噴霧し気化熱を利用して冷房したり、さらには電力により大型換気扇を回転させて施設内にこもった熱気を強制換気して冷房させる方式がとられている。
【０００３】
また、畜舎のうち鶏舎では、鶏が水に濡れると病気を誘発する恐れがあるため、盛夏期に大型スプリンクラーで鶏舎屋根の上を多量に灌水して冷房する対策を講じている。
【０００４】
また、特許文献１には、畜舎及び栽培ハウスの空調システムとして、ハウスのファンで排気してハウス内を陰圧にし、外気を蒸発冷却装置の空気透過パッドを通してハウス内に導入し、このとき、水道管に連結された噴霧ノズルから微細な水滴又は霧を空気透過パッドの外面に吹き付けて、外気の熱を水霧と接触させて、その気化熱により温度を下げて冷却効果及び加湿効果を得ることが開示されている。
【特許文献１】特開２００１−２１５０２７号公報
【考案の開示】
【考案が解決しようとする課題】
【０００５】
従来の冷房設備では、施設費がいずれの方式も多額の初期投資を伴い、また、電気代、水代、燃料代等のランニングコストが高いという欠点がある。
【０００６】
また、従来の気化熱を利用する潅水施設では、長時間利用すると施設内部が過湿となり、ハウス栽培では病害虫が蔓延したり、農産物の品質を低下させたりする等の支障が生じるおそれがある。
【０００７】
さらに、遮光資材は、光の透過率を抑制し、施設内部の温度を降下させる効果が認められるが、施設上に設置すると、遮光ネット自身の高熱が施設に伝わり、直接熱が伝わらない樹木下の様に温度が下がらない欠点がある。
【０００８】
そこで、本考案は、高温、過湿などによる悪影響を与えることがなく、しかも低コストで簡易に設置できる建家内冷房装置を提供するものである。
【課題を解決するための手段】
【０００９】
本考案の建家内冷房装置は、ビニールハウスなどの建家の屋根の外表面に覆った不織布の上に、不織布に水を供給する給水手段を配置したことを特徴とする。
【００１０】
給水手段には、タイマーにより間欠的に水を供給して散水するスプリンクラー又は散水チューブあるいは潅水量が１ｍ当たり１時間に５００ｃｃ〜１Ｌの、排水口を有する小口径パイプを利用することができる。
【００１１】
不織布は樹脂製シートの上に積層された２重積層シートにして屋根を覆うようにしてもよい。
【考案の効果】
【００１２】
建家の屋根の外表面を吸水性に優れている不織布で被覆し、不織布の上に給水手段を設置して不織布に給水することによって不織布内に拡散した水が蒸散する際の気化熱により冷房効果が得られ、低コスト・省エネルギー型の建家内冷房装置が提供できる。
【００１３】
また、給水手段として、タイマーにより間欠的に水を供給して散水するスプリンクラー又は散水チューブあるいは潅水量が１ｍ当たり１時間に５００ｃｃ〜１Ｌの、排水口を有する小口径パイプを利用することにより給水を節約できるので、低コストで冷房できる。
【００１４】
また、不織布が樹脂製シートの上に積層された２重積層シートとすることにより、凹凸のある屋根にも設置が可能となる。
【考案を実施するための最良の形態】
【００１５】
本考案の実施例について図面を参照しながら説明する。
【実施例１】
【００１６】
図１は本考案の冷房装置を栽培ハウスに適用した一実施例を示す斜視図、図２（ａ）は同平面図、（ｂ）は（ａ）のＡ−Ａ線の断面図である。
【００１７】
図１は農産物を栽培する栽培ハウスの屋根の外側表面に本考案の冷房装置を適用した例を示すものである。
【００１８】
冷房装置は栽培ハウス１の屋根１ａの外側表面を覆う吸水性を有する不織布２と、不織布２の上に配置して不織布２に潅水する潅水手段３とを備える。
【００１９】
吸水性を有する不織布２を使用することにより、潅水手段３の潅水により不織布２内に水が拡散し、不織布２から蒸散する水の気化熱により不織布２が冷却され、ハウス内の空気が冷却される。
【００２０】
不織布２は、市販されている吸水性を有する不織布が使用でき、例えば、ユニチカ          株式会社製の商品名「ラブシート」が使用できる。不織布２でハウス１の外表面を覆う範囲は、冷却の程度により適宜決定するが、ハウスの外表面全体の面積のおおよそ５〜８割程度の範囲で調整する。不織布２を使用することにより、不織布２の遮光効果と不職布自体の温度上昇の軽減により、施設内部を効率的に冷却することが可能となる。
【００２１】
潅水手段３は、塩ビパイプ又はポリエチレンパイプをヘッダー管４としてハウス１の屋根１ａの外表面の中央部に配管する。ヘッダー管４の左右には複数のＴ字形分岐パイプ４ａが、たとえば約５ｍ間隔をおいて接続され、Ｔ字形分岐パイプ４ａに潅水用パイプ５が接続され、不織布２の上に配置される。
【００２２】
潅水用パイプ５は潅水ための小口径の排水口が、たとえば約２４ｃｍ間隔をおいて複数形成されている。潅水用パイプ５は不織布２に紐などにより固定する。また、潅水用パイプ５どうしを接続可能にして不織布２の面積に応じて継ぎ足しできるようにして潅水面積を調節できるようにしてもよい。
【００２３】
不織布２への潅水には、潅水量が極めて少ない、小口径の潅水ノズルを有する小口径、例えば、口径３ｍｍ程度の潅水用パイプ、小径の点滴ノズルを設けた点滴潅水用チューブ、あるいは点滴ノズルよりさらに小径の潅水ノズルを有する潅水用パイプを使用し、潅水量は水量調整ユニット４ｂにより調整する。
【００２４】
図３は本考案に使用する潅水用パイプの一例を示す概略断面図である。
【００２５】
図３において、ヘッダー管４から潅水パイプ５への水の取り入れは、たとえば約５ｍ間隔で配置したＴ字形分岐パイプ４ａを接続して行う。潅水パイプ５は一方の端部には、外表面で水が回流する複数の溝５ａが形成され、他方の端部には、接続される潅水パイプ５の溝５ａが形成された端部を嵌合する嵌合部５ｂを形成し、下方に排水口５ｃが形成されている。供給される水はＴ字形分岐パイプ４ａから潅水パイプ５の嵌合部５ｂに流入し、流入した水は溝５ａを回流して排水口５ｃから滴下する。
【００２６】
潅水用パイプ５は、１ｍ当たり、約１時間に５００ｃｃ〜１Ｌ程度の極少潅水量のものを使用する。潅水量が極めて少ないので、日中掛け流しが可能となる。
【００２７】
水の供給は、灌水量を均一化させるため、一定間隔に配置された排水口に圧力調整部品を取り付け、動力源は落差又は低水量の給水ポンプ等を利用する。落差利用の場合、図１に示すように、ヘッダー管４に接続される潅水用パイプ５と貯水タンク６の間に落差を持たせて重力で通水させるために、貯水タンク６を架台７や重ねたブロックの上に載置する。潅水位置より約５０ｃｍ以上の高さに貯水タンク６を設置すれば自動的に潅水され、極めて低コストで利用できる。
【実施例２】
【００２８】
図４は本考案の冷房装置を適用した第２実施例を示す平面図である。本実施例は、不織布にスプリンクラーで散水する例である。
【００２９】
実施例１と同様にハウスの屋根１ａの外表面を不織布２で覆う。不織布２の上には散水手段３としてスプリンクラー８を配置する。スプリンクラー８は、図３の点線で示すように、不織布に均一に散水されるようにヘッダー管４に配置する。散水は、電磁弁９をタイマー１０によりオン−オフし、水の蒸散の程度に応じて水の供給を間欠的に行って散水量を調節する。なお、水の間欠的な供給は手動で行ってもよい。
【００３０】
本実施例では、スプリンクラー８を利用するので、短時間で不織布に給水させることができる。また、従来のスプリンクラーに比べて水の使用量を低減させることができる。さらに、既存の手段を用いて簡単に冷房装置を構成することができる。
【００３１】
なお、散水手段としては、スプリンクラーに代えてパイプに間隔をおいて散水ノズルを有する散水チューブを利用してもよい。
【実施例３】
【００３２】
本実施例は工場や一般住宅などの建家の屋根に適用した例であり、建家の屋根などのように、樹脂製シートを使用しない表面に凹凸のある屋根にも本考案の冷房装置を設けることができる。
【００３３】
図５は本考案の冷房装置を建家の屋根に適用した実施例を示す断面図である。
【００３４】
図５において、樹脂製シートの上に不織布を重ねた２重積層シート１１を用意する。この２重積層シート１１を屋根１２上に覆って固定する。次いで、２重積層シート１１の上に、実施例１に示す潅水手段や実施例２に示す散水手段を配置する。
【００３５】
樹脂製シート１１ａの上に不織布２を重ねた２重積層シート１１を使用することにより、表面に凹凸のある屋根１２に対しても本考案の冷房装置を設けることが可能となる。
【図面の簡単な説明】
【００３６】
【図１】本考案の冷房装置を適用した実施例を示す斜視図である。
【図２】（ａ）は第１実施例の平面図と一部拡大図、（ｂ）は（ａ）のＡ−Ａ線の断面図である。
【図３】本考案に使用する潅水用パイプの一例を示す断面図である。
【図４】本考案の冷房装置を適用した別実施例を示す平面図である。
【図５】本考案の冷房装置を適用した別実施例を示す断面図である。
【符号の説明】
【００３７】
１：栽培ハウス
１ａ：屋根
２：不織布
３：潅水手段
４：ヘッダー管
４ａ：Ｔ字形分岐パイプ
４ｂ：水量調整ユニット
５：潅水用パイプ
５ａ：溝
５ｂ：嵌合部
５ｃ：排水口
６：貯水タンク
７：架台
８：スプリンクラー
９：電磁弁
１０：タイマー
１１：２重積層シート
１２：屋根
【図１】
0003113421.tif 000003
【図２】
0003113421.tif 000004
【図３】
0003113421.tif 000005
【図４】
0003113421.tif 000006
【図５】
0003113421.tif 000007